(57)【要約】本発明は、家具ドアの開閉過程で発生する衝撃力を吸収して緩衝機能を行う緩衝ダンパーに関し、ハウジング（１０）に受容されて家具ドアの開閉過程で往復移動するロードピン（２０）と、ロードピン（２０）に結合されて第１流路（３２）を形成するメインバルブ（３０）と、メインバルブ（３０）のガイド棒（３４）にスライド式に結合されて第２流路（４２）を形成するチェックバルブ（４０）と、メインバルブ（３０）に結合されて流体の流れを案内するガイダー（５０）と、メインバルブ（３０）とチェックバルブ（４０）に介在されて第１流路（３２）を可変させる圧力調節器（６０）とを含むことによって、緩衝ダンパーに圧力調節器及びガイダーを構成して家具ドアの開閉荷重に合わせて流路を可変することによって、家具ドアの規格や重量とは無関係にセッティング速度で家具ドアが開閉されるようにしたものである。
2017508900.tif 000002
【特許請求の範囲】
【請求項１】
家具ヒンジ（１００）に内蔵されて家具ドアの開閉過程で発生する外部荷重を緩衝して吸収する圧力調節手段を内蔵した家具ヒンジ用可変型緩衝ダンパーであって、
前記緩衝ダンパー（１）の作動流体を収容するハウジング（１０）と、
前記ハウジング（１０）に差し込み式で結合されて前記家具ドアの開閉過程で往復移動するロードピン（２０）と、
前記ロードピン（２０）に結合されて第１流路（３２）を形成するメインバルブ（３０）と、
前記メインバルブ（３０）のガイド棒（３４）にスライド式で結合されて前記ガイド棒（３４）との間に第２流路（４２）を形成するチェックバルブ（４０）を含み、
前記メインバルブ（３０）に結合されながら前記作動流体の圧力によって広げられたりリターンして流体の流れを案内するガイダー（５０）と、
前記メインバルブ（３０）と前記チェックバルブ（４０）との間に介在しながら前記作動流体の圧力に応じて変形されて、前記第１流路（３２）を可変する圧力調節器（６０）と、をさらに備えることを特徴とする圧力調節手段を内蔵した家具ヒンジ用可変型緩衝ダンパー。
【請求項２】
前記メインバルブ（３０）は、前記第１流路（３２）が形成された位置に窪むように形成されて前記圧力調節器（６０）の本体一部を収容する半円溝（３８）を含むことを特徴とする請求項１に記載の圧力調節手段を内蔵した家具ヒンジ用可変型緩衝ダンパー。
【請求項３】
前記チェックバルブ（４０）は、前記第１流路（３２）と対向する位置に窪むように形成されて前記圧力調節器（６０）の本体一部を収容する半円溝（４６）を含むことを特徴とする請求項１に記載の圧力調節手段を内蔵した家具ヒンジ用可変型緩衝ダンパー。
【請求項４】
前記ガイダー（５０）は、前記メインバルブ（３０）の結合孔（３７）に嵌め込み突起（５６）を介して結合される本体部（５２）と、前記本体部（５２）の周面に連結部材（５４−５）を介して一体で形成されて流体圧によって広げられたりリターンするスカート部（５４）で構成されることを特徴とする請求項１に記載の圧力調節手段を内蔵した家具ヒンジ用可変型緩衝ダンパー。
【発明の詳細な説明】
【技術分野】
【０００１】
本発明は、家具ドアの開閉過程で発生する衝撃力を吸収して緩衝する緩衝ダンパーに関し、特に前記緩衝ダンパーに単純な構造を持つ圧力調節手段を内蔵して前記家具ドアの大きさや重量とは無関係に前記家具ドアの開閉速度を常に均一に維持させることができるようにした圧力調節手段を内蔵した家具ヒンジ用可変型緩衝ダンパーに関する。
【背景技術】
【０００２】
一般に、家具ヒンジは、流し台や箪笥等のような家具に装着されて、ドアの開閉手段として利用する構造物であり、この家具ヒンジは、前記家具ドアの開閉過程で発生する外部荷重を吸収して騒音を最小化して、前記家具ヒンジはもちろん家具の寿命を延ばす手段として緩衝ダンパーが内蔵されている。
【０００３】
ここで、前記緩衝ダンパーは、ピストンによって往復移動しながら作動流体の流れ量を調節するバルブ、及び前記バルブによって往復移動しながら作動流体の流れ量を調節するチェックバルブを含んだ種々の内蔵部品の相互作用を介して前記家具ドアの開閉荷重を吸収する方式が主に利用されている。
【０００４】
例えば、図１のように、本願出願人は、緩衝ダンパー（韓国登録番号：第１０−０７６０５１８号）として、シリンダーと、前記シリンダーに受容されてスプリング３０を介して支持されるピストン２０、前記ピストン２０により往復移動するバルブ４０及び、前記バルブ４０の突出突起に結合されたチェックバルブ６０で構成された技術を提案したことがある。
【０００５】
この時、図１の（ａ）のように、前記ピストン２０に圧が加えられると、前記バルブ４０の圧縮量に該当するだけ、前記シリンダーの作動流体が流路や隙間４１を経由して図面上矢印方向に移動するので、前記チェックバルブ６０が前記バルブ４０の突出突起に沿って移動して流体圧を調節する。
【０００６】
一方、図１の（ｂ）のように、前記ピストン２０に加えられた圧が解除されると、前記バルブ４０のリターン量に該当するだけ、前記シリンダー内の作動流体が流路や隙間４１を経由して図面上矢印方向に移動するので、前記チェックバルブ６０が前記バルブ４０の突出突起に沿ってリターンして流体圧を調節する。
【０００７】
ところで、前記緩衝ダンパーは、前記ピストン２０の移動量に該当するだけ、前記チェックバルブ６０が往復移動する方式であり、前記ピストン２０に強い外力が加えられたりまたは前記ピストン２０に弱い外力が加えられる場合、前記チェックバルブ６０だけでは作動流体の移動速度を調節することはできなかった。
【０００８】
特に、前記緩衝ダンパーの製造過程で、前記チェックバルブ６０の個数や重さを調節して前記作動流体の移動速度を制御する方法があるが、前記家具ドアの大きさや重さに合わせていちいち前記チェックバルブ６０の個数や重さを調節することは、実質的に不可能で普及化が難しいものである。
【０００９】
また、前記緩衝ダンパーの製造過程で、前記流路や隙間４１の個数や大きさを調節する前記作動流体の移動速度を制御する方法があるが、前記家具ドアの大きさや重さに合わせていちいち前記流路や隙間４１を調節することは、実質的に不可能で普及化が難しいものである。
【００１０】
したがって、前記緩衝ダンパーに受容された前記チェックバルブ６０の個数や重さはもちろん前記流路や隙間４１の個数や大きさを全く変更しない状態で、前記家具ドアの大きさや重量とは全く無関係に、前記ピストン２０が常に均一速度で作動する装置の研究が切実な実情である。
【先行技術文献】
【特許文献】
【００１１】
【特許文献１】大韓民国登録特許公報第１０−０７６０５１８号（登録日：２００７．０９．１４）
【発明の概要】
【発明が解決しようとする課題】
【００１２】
そこで、本発明は、前記問題点を解決するためのものであって、前記緩衝ダンパーに簡単な構造の圧力調節手段を内蔵することによって、前記家具ドアの大きさや重量とは無関係に常に均一な開閉速度を維持させることができるようにした圧力調節手段を内蔵した家具ヒンジ用可変型緩衝ダンパーを提供するところにその目的がある。
【課題を解決するための手段】
【００１３】
前記目的を達成するための本発明は、家具ヒンジに内蔵されて家具ドアの開閉過程で発生する外部荷重を緩衝して吸収する圧力調節手段を内蔵した家具ヒンジ用可変型緩衝ダンパーであって、前記緩衝ダンパーの作動流体を収容するハウジングと、前記ハウジングに差し込み式で結合されて前記家具ドアの開閉過程で往復移動するロードピンと、前記ロードピンに結合されて第１流路を形成するメインバルブと、前記メインバルブのガイド棒にスライド式で結合されて前記ガイド棒との間に第２流路を形成するチェックバルブを含み、前記メインバルブに結合されながら前記作動流体の圧力によって広げられたりリターンして流体の流れを案内するガイダーと、前記メインバルブと前記チェックバルブとの間に介在しながら前記作動流体の圧力に応じて変形されて、前記第１流路または前記第２流路の流れ量を調節する圧力調節器と、をさらに備えた構成である。
【発明の効果】
【００１４】
以上のように、本発明は、少なくとも次のような効果を含む。第一に、前記緩衝ダンパーに前記圧力調節器及び前記ガイダーを内蔵して前記家具ドアの開閉荷重に合わせて流路を可変することによって、前記家具ドアの大きさや重量とは無関係に常にセッティング速度で家具ドアが開閉される。
【００１５】
第二に、前記圧力調節器によって前記家具ドアの開閉速度を常にセッティング速度に調節することによって、前記家具ドアの開閉過程で発生する接触騒音や接触抵抗が最小化されて寿命が延びると共に作動信頼性が向上する。
【図面の簡単な説明】
【００１６】
【図１】従来技術に係る緩衝ダンパーの圧縮状態及び解除状態を図示した図面である。
【図２】本発明に係る緩衝ダンパーの設置状態を図示した図面である。
【図３】本発明に係る緩衝ダンパーの部品を図示した図面である。
【図４】本発明に係る緩衝ダンパーの圧縮状態及び解除状態を図示した図面である。
【図５】本発明に係る緩衝ダンパーの１次圧力が加えられた状態及び２次圧力が加えられた状態を図示した図面である。
【発明を実施するための形態】
【００１７】
以下、本発明に係る実施例を説明すると下記の通りである。
本発明は、図１から図５に示すように、前記緩衝ダンパー１の作動流体を収容するハウジング１０と、前記ハウジング１０に差し込み式で結合されて前記家具ドアの開閉過程で往復移動するロードピン２０と、前記ロードピン２０の端部に結合されて第１流路３２を形成するメインバルブ３０と、前記メインバルブ３０のガイド棒３４にスライド式で結合されて前記ガイド棒３４との間に第２流路４２を形成するチェックバルブ４０を含み、前記メインバルブ３０に結合されながら前記作動流体の圧力によって広げられたりリターンして流体の流れを案内するガイダー５０と、前記メインバルブ３０と前記チェックバルブ４０との間に介在しながら前記作動流体の圧力に応じて変形されて、前記第１流路３２または前記第２流路４２の流れ量を調節する圧力調節器６０と、をさらに備えた構成である。
【００１８】
ここで、 本発明に係る緩衝ダンパー１は、前記家具ヒンジ１００に内蔵された状態で前記家具ドアの開閉過程で発生する荷重を吸収ものであり、前記家具ドアの荷重に合わせて前記第１、２流路３２、４２を可変することによって、前記家具ドアの開閉速度を常に均一に維持するところに特徴がある。
【００１９】
そして、前記ハウジング１０は、前記緩衝ダンパー１の全荷重を支持するものであり、前記作動流体を収容する第１中空部１２と、前記ロードピン２０を収容する第２中空部１３と、を含んで構成されて、前記第１中空部１２と前記第２中空部１３が、段差部１４によって互いに区切られる。
【００２０】
この時、前記第２中空部１３は、後述する弾性手段（Ａ）を収容して、前記第１中空部１２は、後述する緩衝手段（Ｂ）を収容する。
【００２１】
また、前記弾性手段（Ａ）は、前記ロードピン２０を支持するものであり、前記第２中空部１３に受容されるエンドキャップ８２及び前記作動流体の漏出を防止するシール８６を含み、前記エンドキャップ８２と前記シール８６との間にスプリング８８が介在されて弾力的に維持される。
【００２２】
この時、前記シール８６は、シールプレート８４を介して支持されて、特に前記ロードピン２０の挿入量に該当するだけ、図面上左側に下がる。
【００２３】
また、前記緩衝手段（Ｂ）は、前記ロードピン２０に加えられる荷重を吸収して緩衝機能を行うものであり、前記ロードピン２０の先端部に装着されて往復移動するメインバルブ３０、及び前記メインバルブ３０の往復移動過程で作動するチェックバルブ４０とガイダー５０と圧力調節器６０を含んで構成される。
【００２４】
そして、前記ロードピン２０は、前記ハウジング１０の第２中空部１３に挿入された状態で前記弾性手段（Ａ）及び前記緩衝手段（Ｂ）を介して支持されるものであり、前記家具ドアの閉じる過程で図４の（ａ）のように圧縮されたりまたは前記家具ドアの開放過程で図４の（ｂ）のように解除される構成である。
【００２５】
そして、前記メインバルブ３０は、前記ロードピン２０の先端部に結合されて前記ロードピン２０と共に往復移動するものであり、前記第１中空部１２の内壁面に密着する頭部３６と、前記頭部３６に形成された多数の第１流路３２、及び前記頭部３６の側面に一体で形成されたガイド棒３４を含む。
【００２６】
また、前記メインバルブ３０には、前記第１流路３２が形成された位置に前記圧力調節器６０の本体一部を収容する半円溝３８が窪むように形成される。
【００２７】
また、前記ガイド棒３４の周面、好ましくは前記ガイド棒３４の周面と前記チェックバルブ４０との間に多数の第２流路４２が形成される。
【００２８】
そして、前記チェックバルブ４０は、前記ガイド棒３４にスライド式に結合されて往復移動するものであり、前記ガイド棒３４の周面に結合されて第２流路４２を形成する本体部４４、及び前記本体部４４の一側面に窪むように形成されて前記圧力調節器６０の本体一部を収容する半円溝４６を含む。
【００２９】
もちろん、前記チェックバルブ４０の中心部に前記ガイド棒３４の外径と対応する大きさの挿入孔が形成されることは当然である。
【００３０】
この時、前記半円溝４６は、前記第１流路３２と対向する位置に形成して、特に前記半円溝３８と対応する形状で形成することが好ましい。
【００３１】
そして、前記ガイダー５０は、前記メインバルブ３０に結合されて同時に往復移動するものであり、前記メインバルブ３０の結合孔３７に嵌め込み突起５６を介して結合される本体部５２と、前記本体部５２の周面に連結部材５４−５を介して一体で形成されて流体圧によって広げられたりリターンする柔軟な材質のスカート部５４で構成される。
【００３２】
そして、前記圧力調節器６０は、前記メインバルブ３０と前記チェックバルブ４０との間、好ましくは前記半円溝３８、４６に挿入されるものであり、前記半円溝３８、４６に受容された状態で前記作動流体の圧力に合わせて形状が変形されて前記第１流路３２を可変する機能を行う。
【００３３】
もちろん、前記圧力調節器６０は、前記第１流路３２と密着するように可能な限り円筒形状で形成することが好ましい。
【００３４】
また、前記圧力調節器６０は、前記第１流路３２の可変による効率を増大するように可能な限り柔軟な材質で形成することが好ましい。
【００３５】
以下、本発明に係る作用を説明すると下記のとおりである。
まず、図４の（ａ）のように、前記ロードピン２０に圧が加えられると、前記第１中空部１２の作動流体が前記ガイダー５０を経て図面上矢印方向に移動するので、前記緩衝手段（Ｂ）が流体圧に合わせて作動する。
【００３６】
すなわち、前記ハウジング１０に受容されていた作動流体が前記チェックバルブ４０と前記ガイド棒３４の隙間をなす第２流路４２及び前記メインバルブ３０の第１流路３２を経て図面上矢印方向に移動する。
【００３７】
この時、前記メインバルブ３０に前記チェックバルブ４０が密着して、これによって前記第１流路３２に前記圧力調節器６０が密着するので、前記作動流体の圧力に合わせて前記ロードピン２０がセッティング速度で圧縮される。
【００３８】
一方、図４の（ｂ）のように、前記ロードピン２０に加えられた圧が解除されると、前記第１中空部１２の作動流体が前記第１流路３２及び前記第２流路４２を経て図面上矢印方向に移動する。
【００３９】
すなわち、前記メインバルブ３０に密着していた前記チェックバルブ４０が離隔すると同時に、前記第１流路３２に密着していた前記圧力調節器６０が離隔するので、前記ロードピン２０がセッティング速度でリターンする。
【００４０】
また、前記ロードピン２０のリターン過程で、前記第１、２流路３２、４２を通してリターンする作動流体によって前記ガイダー５０のスカート部５４が広げられるので、前記作動流体がセッティング速度でリターンするようになる。
【００４１】
一方、前記ロードピン２０に規定値以上の圧が加えられても、前記圧力調節器６０が図５の（ｂ）のように変形されることによって、前記第１流路３２が可変されて前記ロードピン２０がセッティング速度で作動する。
【００４２】
すなわち、前記ロードピン２０に加えられる圧力に該当するだけ、圧力調節器６０が変形されて前記第１流路３２をほとんど遮断することによって、前記家具ドアによる異常な圧が加えられても閉じる速度が一定に維持される。
【符号の説明】
【００４３】
１０        ハウジング、
１２，１３  第１及び第２中空部、
１４        段差部、
２０        ロードピン、
３０        メインバルブ、
３２        第１流路、
３４        ガイド棒、
３６        頭部、
３７        結合孔、
３８        半円溝、
４０        チェックバルブ、
４２        第２流路、
４４        本体部、
４６        半円溝、
５０        ガイダー、
５２        本体部、
５４        スカート部、
６０        圧力調節器、
８２        エンドキャップ、
８４        シールプレート、
８６        シール、
８８        スプリング。
【図１（ａ）】
2017508900.tif 000003
【図１（ｂ）】
2017508900.tif 000004
【図２】
2017508900.tif 000005
【図３】
2017508900.tif 000006
【図４（ａ）】
2017508900.tif 000007
【図４（ｂ）】
2017508900.tif 000008
【図５（ａ）】
2017508900.tif 000009
【図５（ｂ）】
2017508900.tif 000010
【国際調査報告】
2017508900.tif 000011
2017508900.tif 000012
2017508900.tif 000013
2017508900.tif 000014